(57)【要約】【課題】本発明は、軽薄なタッチ式透明キーボードを提供することを目的とする。【解決手段】本発明のタッチ式透明キーボードは、下から上に向って順次に積層配置される透明基材層、透明なキーアイコン層、第一絶縁層、シールド層、第二絶縁層、位置検知層及び透明保護層を備える。前記透明基材層には、前記キーアイコン層、前記シールド層及び前記位置検知層に電気的に接続される制御モジュールが設けられる。【選択図】図１
2012003768.tif 000002
【特許請求の範囲】
【請求項１】
下から上に向って順次に積層配置される透明基材層、透明なキーアイコン層、第一絶縁層、シールド層、第二絶縁層、位置検知層及び透明保護層を備えてなるタッチ式透明キーボードにおいて、
前記透明基材層には、前記キーアイコン層、前記シールド層及び前記位置検知層に電気的に接続される制御モジュールが設けられることを特徴とするタッチ式透明キーボード。
【請求項２】
透明なキーアイコン層を内蔵した透明基材層を備えるタッチ式透明キーボードにおいて、
前記透明基材層の上面には、下から上に向ってシールド層、絶縁層、位置検知層及び透明保護層が順次に積層配置され、
前記透明基材層には、前記キーアイコン層、前記シールド層及び前記位置検知層に電気的に接続される制御モジュールがさらに設けられることを特徴とするタッチ式透明キーボード。
【請求項３】
前記シールド層は透明導電材料からなり、前記制御モジュールはアース端を有し、前記シールド層が前記制御モジュールのアース端に電気的に接続されることを特徴とする請求項１又は請求項２に記載のタッチ式透明キーボード。
【請求項４】
前記キーアイコン層は透明薄膜を備え、前記透明薄膜の上面には、電界発光効果を有する透明材料からなる複数のキーアイコン、及び前記キーアイコンアレイの周囲に沿って形成され且つ透明導電材料からなる駆動回路が設けられ、
前記駆動回路及び前記キーアイコンは、それぞれ前記制御モジュールに電気的に接続されることを特徴とする請求項１又は請求項２に記載のタッチ式透明キーボード。
【請求項５】
前記透明基材層は延長部を備え、前記制御モジュールは、前記延長部上に設けられ且つリード線を介して外部表示装置に電気的に接続されることを特徴とする請求項１又は請求項２に記載のタッチ式透明キーボード。
【請求項６】
前記透明基材層には貫通孔が設けられ、前記キーアイコン層は、前記貫通孔を貫く電気配線を介して前記制御モジュールに電気的に接続されることを特徴とする請求項５に記載のタッチ式透明キーボード。
【発明の詳細な説明】
【技術分野】
【０００１】
本発明は、タッチ式キーボードに関し、特に透明なタッチ式キーボードに関するものである。
【背景技術】
【０００２】
キーボードは、主な入力デバイスとして、電子装置にとって不可欠な外付け部品である。従来のタッチ式キーボードは、通常タッチプレートと支持基板との積層型を採用するので、厚さが大きい。このようなタッチ式キーボードは、外観が単調であり、消費者の電子装置に対する個性的なニーズを満たさない。
【発明の概要】
【発明が解決しようとする課題】
【０００３】
本発明は、上記の問題点を考慮してなされたものであり、軽薄なタッチ式透明キーボードを提供することを目的とする。
【課題を解決するための手段】
【０００４】
前記課題を解決するために、本発明に係るタッチ式透明キーボードは、下から上に向って順次に積層配置される透明基材層、透明なキーアイコン層、第一絶縁層、シールド層、第二絶縁層、位置検知層及び透明保護層を備える。前記透明基材層には、前記キーアイコン層、前記シールド層及び前記位置検知層に電気的に接続される制御モジュールが設けられる。
【０００５】
また、前記課題を解決するために、本発明に係るタッチ式透明キーボードは、透明なキーアイコン層を内蔵した透明基材層を備え、前記透明基材層の上面には、下から上に向ってシールド層、絶縁層、位置検知層及び透明保護層が順次に積層配置され、前記透明基材層には、前記キーアイコン層、前記シールド層及び前記位置検知層に電気的に接続される制御モジュールがさらに設けられる。
【発明の効果】
【０００６】
従来の技術と比較して、本発明のタッチ式透明キーボードにおいて、別途にキーアイコンを有する支持基板を設けずに、タッチプレートの透明基材層の上面にキーアイコン層を直接に被覆し、又は前記キーアイコン層を前記透明基材層の内部に嵌め込むので、タッチ式透明キーボードの厚さを大幅に減少した。
【図面の簡単な説明】
【０００７】
【図１】本発明の第一実施形態に係るタッチ式透明キーボードの断面図である。
【図２】図１に示したタッチ式透明キーボードのキーアイコン層を示す図である。
【図３】本発明のタッチ式透明キーボードの立体図である。
【図４】本発明の第二実施形態に係るタッチ式透明キーボードの断面図である。
【発明を実施するための形態】
【０００８】
本発明のタッチ式透明キーボードは、キーアイコンシートを内蔵した透明なタッチプレートである。以下の実施形態では、静電容量式タッチプレートを例として説明する。
【０００９】
図１に示したように、本発明の第一実施形態に係るタッチ式透明キーボード１００は、下から上に向かって順次に積層配置される透明基材層１１、透明なキーアイコン層１２、第一絶縁層１３、シールド層１４、第二絶縁層１５、位置検知層１６及び透明保護層１７から構成される。前記透明基材層１１及び前記透明保護層１７は、ガラス或いは透明樹脂などの透明絶縁材料からなる。前記透明基材層１１は延長部１１１を備え、前記延長部１１１の上面には制御モジュール１８が設けられている。前記制御モジュール１８は、アース端（図示せず）を有し、且つ電気回線（図示せず）を介して前記キーアイコン層１２、前記シールド層１４及び前記位置検知層１６に電気的に接続される。この電気回線は、インジウム錫酸化物（ＩＴＯ）、アルミニウム酸化物添加亜鉛酸化物（ＺＡＯ）或いは酸化カドミウム（ＣｄＯ）などの透明導電材料からなる。
【００１０】
図２に示したように、前記キーアイコン層１２は透明薄膜１２１を備え、前記透明薄膜１２１の上面には、印刷方式或いはスプレー方式により形成された複数のキーアイコン１２３と、印刷方式により前記キーアイコンアレイの周囲に形成される１つの駆動回路１２５と、が設けられている。前記駆動回路１２５は、透明導電材料からなり、前記キーアイコン１２３及び前記制御モジュール１８に電気的に接続される。本実施形態において、前記透明薄膜１２１は、ポリエステル薄膜或いはナイロン薄膜（Ｐｏｌｙａｍｉｄｅ，ＰＡ）などの透明材料からなる。前記キーアイコン１２３は、電界発光効果を有する透明材料からなり、通電される際に発光して、前記透明保護層１７を透過してその標記内容を表示する。前記キーアイコン１２３の配列及び標記内容を、実際の要求に応じて英字アルファベット、漢字或いは平仮名などに変更することができる。前記キーアイコン１２３のキャラクター情報は、予め前記制御モジュール１８内に格納され、且つ前記透明保護層１７のタッチされる位置にそれぞれ対応する。前記駆動回路１２５は、前記キーアイコン１２３を発光させるか否かをコントロールする。前記駆動回路１２５に前記制御モジュール１８からの制御信号を受けて通電する場合、前記キーアイコン１２３は発光して、前記透明保護層１７を透過して表示される。前記駆動回路１２５に通電しない場合、前記キーアイコン１２３は発光せず、且つ透明状を呈する。
【００１１】
前記第一絶縁層１３及び前記第二絶縁層１５は、シリカ薄膜或いはポリエチレンテレフタレート（ＰＥＴ）薄膜などの透明絶縁材料によって製作される。前記第一絶縁層１３は、前記キーアイコン層１２及び前記シールド層１４を隔離するために用いられ、前記第二絶縁層１５は、前記シールド層１４及び前記位置検知層１６を隔離するために用いられる。前記シールド層１４は、インジウム錫酸化物（ＩＴＯ）、アルミニウム酸化物添加亜鉛酸化物（ＺＡＯ）或いは酸化カドミウム（ＣｄＯ）などの透明導電材料からなり、且つ前記制御モジュール１８のアース端に電気的に接続される。前記シールド層１４は、前記キーアイコン層１２と前記位置検知層１６との間の妨害信号をシールドして、両者を互いに干渉されないようにする。前記位置検知層１６は、タッチ位置を測定する機能を持つ。本実施形態において、前記位置検知層１６は静電容量式の感応層であり、インジウム錫酸化物（ＩＴＯ）、アルミニウム酸化物添加亜鉛酸化物（ＺＡＯ）或いは酸化カドミウム（ＣｄＯ）などの透明導電材料からなる。
【００１２】
図３に示したように、前記制御モジュール１８は、インジウムガリウム（Ｉｎｄｉｕｍ  Ｇａｌｌｉｕｍ）酸化物によって形成される透明なチップ或いは透明な回路とすることができる。前記タッチ式透明キーボード１００は、有線式キーボード或いは無線式キーボードであることができる。前記タッチ式透明キーボード１００が有線式キーボードである場合、リード線によって前記制御モジュール１８を外部表示装置に電気的に接続すればよい。また、前記タッチ式透明キーボード１００は、無線式キーボードである場合、前記制御モジュール１８に無線信号伝送モジュールを増設するとともに、外部表示装置にこの無線信号伝送モジュールに対応する無線信号受信装置を設ければよい。
【００１３】
本発明の第一実施形態に係るタッチ式透明キーボード１００において、前記キーアイコン層１２は、タッチプレートの透明基材層１１の上面に直接に被覆されるので、別途にキーアイコンを有する支持基板を設ける必要がなく、前記タッチ式透明キーボード１００の厚さが大幅に減少した。しかも、前記キーアイコン層１２は前記制御モジュール１８によってコントロールされて発光できるので、暗い環境及び光線の弱い所でも使用の際に便利である。前記タッチ式透明キーボード１００に通電しない際には、全体が透明であり、外観がきれいである。
【００１４】
図４に示したように、本発明の第二実施形態に係るタッチ式透明キーボード２００の構成は、上記第一実施形態に係るタッチ式透明キーボード１００の構成とほぼ同じである。以下、同じ構成については、同一符号を付し、構造、作用及び効果の説明は省略する。前記タッチ式透明キーボード２００において、前記キーアイコン層２２は前記透明基材層２１の内部に嵌め込まれ（例えば、透明基材層２１の内部に収容空洞部を設けることによりこれを実現する）、前記透明基材層２１には貫通孔２１３が設けられる。前記キーアイコン層２２は、前記貫通孔２１３を貫く電気配線により前記モジュール１８に電気的に接続される。前記透明基材層２１の上面には、シールド層１４、第二絶縁層１５、位置検知層１６及び透明保護層１７が下から上に向って順次に積層配置されている。
【００１５】
本発明の第二実施形態に係るタッチ式透明キーボード２００のキーアイコン層２２は、タッチプレートの透明基材層２１内に嵌め込まれるので、別途にキーアイコンを有する支持基板を設ける必要がなく、タッチ式透明キーボードの厚さが大幅に減少した。しかも、前記キーアイコン層２２は前記制御モジュール１８にコントロールされて発光できるので、暗い環境及び光線の弱い所でも使用の際に便利である。前記タッチ式透明キーパッド２００に通電しない際には、全体が透明であり、外観がきれいである。
【００１６】
また、本発明のタッチ式透明キーボード１００、２００は、抵抗膜式、表面音波式或いは光学式のタッチプレートとすることができる。従って前記位置検知層１６は、抵抗膜式感応層、表面音波式感応層或いは光学式感応層の中の何れか１つである。
【００１７】
また、前記制御モジュール１８は、不透明の回路モジュールとすることができ、前記タッチ式透明キーボード１００の制御モジュール１８を有する一端に不透明な保護マスクを被覆すればよい。
【００１８】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることはいうまでもない。
【符号の説明】
【００１９】
１１            透明基材層
１２            キーアイコン層
１３            第一絶縁層
１４            シールド層
１５            第二絶縁層
１６            位置検知層
１７            透明保護層
１８            制御モジュール
２１            透明基材層
２２            キーアイコン層
１００          タッチ式透明キーボード
１１１          延長部
１２１          透明薄膜
１２３          キーアイコン
１２５          駆動回路
２００          タッチ式透明キーボード
２１３          貫通孔
【図１】
2012003768.tif 000003
【図２】
2012003768.tif 000004
【図３】
2012003768.tif 000005
【図４】
2012003768.tif 000006